(57)【要約】【課題】  着脱が容易であるだけでなく、特に、人体の頭髪を一切利用せずに表面接着力で分離可能に固定することができるので、より向上した使用上の便宜及び着用感を得ることができる、かつらを提供すること。【解決手段】  人体の頭髪を利用せずに表面接着力だけで容易に着脱することができるかつらであって、人工毛または人毛によって形成される毛髪層と、前記毛髪層を人体の頭部に分離可能に付着するためのキャップと、前記キャップに固定され、前記毛髪層を人体の頭部に表面接着力で分離可能に固定するための接着パッドとを含み、前記接着パッドは、接着力のある接着層を有し、前記接着層が被接着面側に対応して全体または分割区画された部分を覆う形態に、直接、接触し、表面接着力で前記キャップ側に形成される毛髪層を人体の頭部に分離可能に固定することを特徴とする。【選択図】  図１
0003107917.tif 000002
【実用新案登録請求の範囲】
【請求項１】
人体の頭髪を利用せずに表面接着力だけで容易に着脱することができるかつらであって、
人工毛または人毛によって形成される毛髪層と、
前記毛髪層を人体の頭部に分離可能に付着するためのキャップと、
前記キャップに固定され、前記毛髪層を人体の頭部に表面接着力で分離可能に固定するための接着パッドと、を含み、
前記接着パッドは、接着力のある接着層を有し、前記接着層が被接着面側に対応して全体または分割区画された部分を覆う形態に、直接、接触し、表面接着力で前記キャップ側に形成される毛髪層を人体の頭部に分離可能に固定することを特徴とするかつら。
【請求項２】
前記接着パッドは、前記キャップ側で人体の被接着面に対応して全体または部分的な表面接着作用が行われるように一つまたはそれ以上が分割形成される、請求項１に記載のかつら。
【請求項３】
前記接着層は、シリコン系列の接着溶剤が塗布されて形成される、請求項１に記載のかつら。
【考案の詳細な説明】
【技術分野】
【０００１】
本考案はかつらに関し、より詳しくは、着脱のための固定構造が簡単であるだけでなく、特に、人体の頭髪を一切利用せずに表面接着力により人体の頭部に、直接、分離可能に固定することができ、より向上した着用感及び使用上の便宜などを得ることができる、かつらに関する。
【背景技術】
【０００２】
一般に、かつら（wig）は、脱毛現象などにより人体の頭部の頭髪の数が全体または部分的に減った部分を視覚的にカバーする用途で主に用いられ、その他にも、最近では、頭部の形態を多様に演出するための装飾用アクセサリー小物などとして広く用いられている。
【０００３】
前記のようなかつらの一般的な構造を簡略に説明すれば、人工毛または人毛によって形成される毛髪層と、前記毛髪層を人体の頭部に分離可能に付着するためのキャップとを含む構造からなる。
【０００４】
そして、前記キャップ側には、人体の頭髪を利用した係止作用や加圧作用によって、かつらを頭部に分離可能に固定するための固定具が設置され、このような固定具の一般的な構造を簡略に説明する。
【０００５】
前記係止固定具は、２つの係止具が互いに対向する形態に位置し、これらの一側端がヒンジ結合されて、このヒンジ部を中心に前記２つの係止具が互いに分離されたり、あるいは引掛けられる動作によって物理的な係止作用が行われて、これらの間に嵌合された頭髪を固定する、たとえば周知のピンのような構造からなる。
【０００６】
そして、前記加圧固定具は、２つの加圧具が互いにスライドし、このようなスライド動作によって、これらの間に嵌合された頭髪を物理的な加圧作用で固定する、クリップのような構造からなる。
【０００７】
前記のような係止または加圧作用によって頭髪を分離可能に固定する固定具の構造は、使用者が他人の助けなく手を利用して比較的簡単な動作によって頭髪を固定したり固定された状態を解除して、かつらを着脱することができるので、大部分のかつらは、前記のような構造の固定具を利用して頭髪が直接引掛けられたり加圧されて着脱される構造からなる。
【０００８】
しかし、このような従来のかつらは、前記固定具、つまり係止または加圧作用のための係止具または加圧具が頭部にセッティングされたかつらの内側面と頭皮との間に位置するので、かつらの着用後に前記固定具によって着用感が低下する問題がある。特に、前記固定具は、かつらの着用時に人体の頭髪と、直接、接触しながら固定力を確保する構造であるので、このような固定作用によって、頭髪が容易に損傷するばかりか、脱毛などを誘発するため、かつら全体の製品信頼度を低下させる要因になる。
【０００９】
さらに、前記のような固定具は、かつらの着脱時に頭皮とかつらの内側面との間の狭い空間で頭髪の固定及び解除などのための動作を行わなければならないので、着脱のための動作が不便であるだけでなく、時間がかかりすぎるなど、満足できる使用上の便宜を得るのが難しい。
【００１０】
そして、前記固定具は、２つの係止具または加圧具が回転したりスライドしながら係止作用や加圧作用が行われるので、頭髪の固定及び解除のための構造が複雑であるだけでなく、これにより製作などに費用がかかりすぎて、維持補修などに多くの困難が伴う。
【考案の開示】
【考案が解決しようとする課題】
【００１１】
本考案は、前記ような従来の問題を解決するために案出されたものであって、本考案の目的は、着脱が容易であるだけでなく、特に、人体の頭髪を一切利用せずに表面接着力で分離可能に固定することができるので、より向上した使用上の便宜及び着用感を得ることができる、かつらを提供することである。
【課題を解決するための手段】
【００１２】
前記ような本考案の目的を実現するために、人体の頭髪を利用せずに表面接着力だけで容易に着脱することができるかつらであって、人工毛または人毛によって形成される毛髪層と、前記毛髪層を人体の頭部に分離可能に付着するためのキャップと、前記キャップに固定され、前記毛髪層を人体の頭部に表面接着力で分離可能に固定するための接着パッドとを含み、前記接着パッドは、接着力のある接着層を有し、前記接着層が被接着面側に対応して全体または分割区画された部分を覆う形態に、直接、接触し、表面接着力で前記キャップ側に形成される毛髪層を人体の頭部に分離可能に固定することを特徴とする、かつらが提供される。
【考案の効果】
【００１３】
本考案によるかつらは、毛髪層が固定されるキャップの内側面に設置された接着パッドを利用して、前記パッドに形成された接着層の表面接着力で人体の頭部に簡単に着脱することができる。さらに、前記のように薄膜の接着パッドを利用した固定構造は、かつらと頭皮との間の占有空間を大幅に減少させることができ、別途の係止または解除等のための複雑な動作を行わなくてもよいので、より向上した着用感と使用上の便宜などを得ることができる。
【００１４】
特に、前記接着パッドは、かつらの着脱時に人体の頭髪を一切利用せずに接着層の表面接着力だけで分離可能に固定する構造であるので、かつらの頻繁な着脱によって頭髪が損傷するのを防止して、満足できる製品の信頼度及び機能性などを得ることができる。
【考案を実施するための最良の形態】
【００１５】
以下、本考案の好ましい実施形態を、添付した図面を参照して、より詳細に説明する。
【００１６】
図１及び図２を参照すれば、本考案によるかつらは、毛髪（W）によって形成される毛髪層２と、前記毛髪層２を人体の頭部（H）に分離可能に付着するためのキャップ４と、前記キャップ４に固定され、前記毛髪層２を人体の頭部（H）側で表面接着力で分離可能に固定するための接着パッド６と、を含む。
【００１７】
前記毛髪層２は、人体の頭部（H）、つまり脱毛した部分をカバーしたり装飾する効果を発揮するためのものであって、このような毛髪層２は、要求される機能や用途などによってこれに対応する形態を有するように、主に合成樹脂や繊維などを利用した人工毛または人体の頭髪のような人毛（W）が図３のように後述するキャップ４側に固定されて、一定の形態に形成される。
【００１８】
前記キャップ４は、前記毛髪層２を固定すると同時に固定された状態で形態性が与えられるようにするためのものであって、このために、図１のように、人体の頭部（H）に対応する球面の円板形態に製作され、前記キャップ４の上側面に図３のように毛髪（W）が固定されて一定の形態の毛髪層２が形成されて人体の頭部（H）側を分割する形態で覆うことにより、前記毛髪層２が分離可能に固定されることができるように支持する構造である。
【００１９】
この時、前記キャップ４は、人体の頭部（H）、つまり頭皮に、直接、接触するので、このような接触時に着用感や通気性が与えられるように、たとえば軟質の合成樹脂をモールディングして表面側に通気ホールが形成された周知の構造に成形したり、図２のように多孔性構造の織物が、直接、裁断されて用いられる。
【００２０】
一方、前記接着パッド６は、前記毛髪層２が固定されたキャップ４を表面接着力によって人体の頭部（H）に、直接、分離可能に固定するためのものであって、このために、図４のように、前記パッド本体８の一側面に一定の接着力がある接着層１０が形成され、前記パッド本体８が前記キャップ４の内側面に図２及び図３のように固定される構造とすることができる。
【００２１】
この時、前記パッド本体８は、前記接着層１０の表面安定性はもちろん、人体の頭部（H）と接触する時に着用感が低下するのを防止することができるように、たとえば周知の軟質のスポンジや布などを用いることができ、図面には示していないが、前記キャップ４の内側面で糸などで縫い付けられたり、あるいは別途の接着剤などで堅固に固定される。
【００２２】
前記接着層１０は、かつらの着用時に人体の頭部（H）、つまり被接着面側に対応して、直接、面接触する形態で付着されて、表面接着力でかつらを分離可能に固定するためのものであって、米国のダウコーニング社（DOW CORNING CORPORATION）で製造販売する製品名“BIO-PSA７-４２０１”のシリコン系接着剤（SILICON ADHESIVE）が用いられ、前記パッド本体８に周知の方法で塗布及び硬化処理されて、一定の厚さを有する面状の接着領域を有するように形成された構造である。
【００２３】
前記接着層１０の形成のために用いられるシリコン系接着剤は、分子間の相互引力が小さいので、自己弾性はもちろん、形態復原力及び安定性、そして耐熱性及び耐寒性（−７３F℃〜２６０℃）などが優れていて、外部の温度変化などにも常に一定の接着力及び固有の形態性などが維持される特性を有することが知られている。
【００２４】
特に、前記のようなシリコン系接着剤によって前記接着層１０が形成されれば、前記接着層１０の接着面を通じて人体の頭部（H）に頻繁な着脱を行っても被接着面側に一部接着剤が付着しないだけでなく、水や汗などに接触しても常に一定の接着力が維持されるので、かつらの洗浄が可能であり、常に均一な固定力及び着用感などを得ることができるので、半永久的に用いることができる。
【００２５】
前記のように、パッド本体８側に接着層１０が形成された接着パッド６は、前記キャップ４の内側面で、たとえば図５のような形態に分割区画された接着領域を有するように固定されて、人体の頭部（H）に対応して部分的に接着可能にセッティングされる。
【００２６】
前記では、接着パッド６が前記キャップ４の内側面で図５のような形態に分割区画された接着領域を有するように構成されたことを一例にあげて説明及び図示したが、これに限られるわけではない。
【００２７】
たとえば、図面には示さなかったが、一つまたは２つ以上に分割されて前記キャップ４の内側面で前記キャップ４に覆われる頭部（H）の被接触面側に対応して全体または部分的な接着作用が可能なように、これに対応する様々な形態に構成することができる。もちろん、この時にも、前記接着パッド６によって円滑な接着力が発揮されながら、かつらの着用時に満足できる固定力が確保されるように構成しなければならない。
【００２８】
したがって、前記構造からなる本考案によるかつらは、人体の頭部（H）に着脱する時に人体の頭髪（H）を一切利用せずに前記キャップ４の内側面に固定された接着パッド６、つまり接着層１０の表面接着力を利用して最小限の空間を占有しながら容易に着脱することができる。
【００２９】
特に、前記接着パッド６の接着層１０は、シリコン系接着剤からなるので、例えば、かつらの頻繁な着脱時に前記接着層１０の接着剤が頭部（H）の被接着面側に付着するのを防止することができ、水や汗などと接触しても常に一定の接着力が長期間維持されるので、満足できる固定力及び着用感などを得ることができる。
【００３０】
そして、前記接着パッド６は、長期間の使用によって前記接着層１０の接着力が低下すれば、前記キャップ４側から分離した後、新たなパッド６を糸などで縫い付けたり接着剤などを利用して使用者が、直接、簡単に交換及び補修することができるので、より向上した維持補修性などを得ることができる。
【００３１】
前記では、本考案によるかつらの好ましい実施例について説明したが、本考案はこれに限定されず、実用新案登録請求の範囲、明細書、及び添付した図面の範囲内で多様に変形して実施することが可能であり、これも本考案の範囲に属する。
【図面の簡単な説明】
【００３２】
【図１】本考案によるかつらの構造を説明するための全体斜視図である。
【図２】本考案によるかつらの構造を説明するための分解斜視図である。
【図３】図１の結合断面図である。
【図４】図１の接着パッドの接着層の構造を説明するための部分拡大断面図である。
【図５】図４の接着パッドがキャップ側に設置された状態の一実施例を説明するための平面図である。
【符号の説明】
【００３３】
２  毛髪層
４  キャップ
６  接着パッド
８  パッド本体
１０  接着層
Ｈ  頭部
Ｗ  毛髪
【図１】
0003107917.tif 000003
【図２】
0003107917.tif 000004
【図３】
0003107917.tif 000005
【図４】
0003107917.tif 000006
【図５】
0003107917.tif 000007